(57)【要約】【課題】内容物を封入するための封入容器において、内容物の封入後の管理上の問題を解決する。【解決手段】内容物Ｃが導入される導入流路２と、該導入流路２に連通して内容物Ｃが収容される収容部３とを備える。導入流路２は、収容部３を密封するための封止目標位置を表示する封止目標位置表示部２１を有する。【選択図】図１
2018030611.tif 000002
【特許請求の範囲】
【請求項１】
内容物を封入するための封入容器であって、
前記内容物が導入される導入流路と、該導入流路に連通して前記内容物が収容される収容部とを備え、
前記導入流路は、前記収容部を密封するための封止目標位置を表示する封止目標位置表示部を有することを特徴とする封入容器。
【請求項２】
前記導入流路は、前記封止目標位置表示部の外側であって前記収容部と反対の先端側に前記導入流路を切断するための切断目標位置を表示する切断位置表示部を有することを特徴とする請求項１に記載の封入容器。
【請求項３】
前記収容部の一部が外側へ突出して前記導入流路が形成され、
前記封止目標位置表示部よりも前記導入流路の前記収容部と反対の先端側に、前記内容物を前記導入流路に導入するための導入管が接続されていることを特徴とする請求項１または請求項２に記載の封入容器。
【請求項４】
前記導入管の最低使用温度は、前記収容部の最低使用温度よりも高いことを特徴とする請求項３に記載の封入容器。
【請求項５】
前記封止目標位置表示部から前記導入流路の基端までの前記導入流路の重量は、前記内容物の目標重量の１％以下であることを特徴とする請求項１に記載の封入容器。
【請求項６】
前記切断位置表示部から前記導入流路の基端までの前記導入流路の重量は、前記内容物の目標重量の１％以下であることを特徴とする請求項２に記載の封入容器。
【請求項７】
請求項１から請求項６のいずれか一項に記載の封入容器に内容物を導入して密封した包装物の製造方法であって、
前記導入流路を介して前記内容物を前記収容部に収容する収容工程と、
前記封止目標位置表示部において前記導入流路を溶着して前記収容部を密封する密封工程と、
前記導入流路を切断する切断工程と、を有することを特徴とする包装物の製造方法。
【発明の詳細な説明】
【技術分野】
【０００１】
本開示は、封入容器および包装物の製造方法に関する。
【背景技術】
【０００２】
従来から医療用薬液封入物の製造方法およびそれに使用される可撓性容器に関する発明が知られている（下記特許文献１を参照）。特許文献１に記載された製造方法は、抽出口を備える可撓性容器であって、重ね合せた可撓性樹脂フィルムの周縁部分が相互に接着され、それらの可撓性フィルムの間に薬液収容室が形成されるものを用いている（同文献、請求項１等を参照）。
【０００３】
前記薬液収容室は、その内壁の一部を溶着して形成される隔離部分により第１室および第２室に区画されている。前記周縁部分は、上縁部分、下縁部分および２つの側縁部分からなる。薬液抽出口は、上縁部分および下縁部分に配置される。一方の側縁部分は、前記第１室および前記第２室においてそれぞれ突出した接着部分を有する。この従来の製造方法は、以下の各工程を特徴としている。
【０００４】
まず、前記薬液収容室および該薬液収容室に連通されかつ栓で密封された抽出口を有する可撓性容器を製造する。次に、前記第１室および前記第２室のそれぞれの前記突出した接着部分のみを同時に切除して薬液収容室と外部を連通する充填口を形成する。次に、前記第１室および前記第２室のそれぞれの充填口を介し、薬液収容室へ薬液を同時に充填する。そして、前記第１室および前記第２室のそれぞれの充填口の周りの所定の範囲の樹脂フィルムを同時に接着し薬液収容室を密閉状態とする。
【先行技術文献】
【特許文献】
【０００５】
【特許文献１】特許第４７６８８９８号公報
【発明の概要】
【発明が解決しようとする課題】
【０００６】
前記従来の製造方法は、突出した接着部分を切除して充填口を形成し、この充填口を介して薬液収容室へ薬液を充填し、充填口の周りの所定の範囲の樹脂フィルムを同時に接着し薬液収容室を密閉している。そのため、幅の広い側縁部分の樹脂フィルムを挟んで溶着を行う必要があり、溶着が困難であるという課題がある。
【０００７】
そのため、前記充填口の形成時に前記突出した接着部分を残存させ、この突出した部分を溶着して薬液収容室を密閉することが考えられる。この突出した部分は、側縁部分よりも幅が狭く溶着が容易である反面、溶着の位置にばらつきが発生すると、製造される医療用薬液封入物等の包装物の管理上の問題が発生するおそれがある。
【０００８】
本開示は、前記課題に鑑みてなされたものであり、一部が溶着されて内容物が封入される封入容器において、内容物の封入後の管理上の問題を解決することを目的とする。
【課題を解決するための手段】
【０００９】
前記目的を達成すべく、本開示に係る封入容器は、内容物を封入するための封入容器であって、前記内容物が導入される導入流路と、該導入流路に連通して前記内容物が収容される収容部とを備え、前記導入流路は、前記収容部を密封するための封止目標位置を表示する封止目標位置表示部を有する。
【００１０】
前記封入容器において、前記導入流路は、前記封止目標位置表示部の外側であって前記収容部と反対の先端側に前記導入流路を切断するための切断目標位置を表示する切断位置表示部を有してもよい。
【００１１】
前記封入容器において、前記収容部の一部が外側へ突出して前記導入流路が形成され、前記封止目標位置表示部よりも前記導入流路の前記収容部と反対の先端側に、前記内容物を前記導入流路に導入するための導入管が接続されていてもよい。
【００１２】
前記封入容器において、前記導入管の最低使用温度は、前記収容部の最低使用温度よりも高くすることができる。
【００１３】
前記封入容器において、前記封止目標位置表示部から前記導入流路の基端までの前記導入流路の重量は、前記内容物の目標重量の１％以下であることができる。
【００１４】
前記封入容器において、前記切断位置表示部から前記導入流路の基端までの前記導入流路の重量は、前記内容物の目標重量の１％以下であることができる。
【００１５】
本開示に係る包装物の製造方法は、前記封入容器に内容物を導入して密封した包装物の製造方法であって、前記導入流路を介して前記内容物を前記収容部に収容する収容工程と、前記封止目標位置表示部において前記導入流路を溶着して前記収容部を密封する密封工程と、前記導入流路を切断する切断工程と、を有する。
【発明の効果】
【００１６】
本開示によれば、収容部に内容物を導入する導入流路が封止目標位置表示部を有することで、導入流路を一定の位置で溶着して収容部を密封することができ、溶着を容易にすることができるだけでなく、内容物の封入後の管理上の問題を解決することができる。
【図面の簡単な説明】
【００１７】
【図１】本開示の実施形態１に係る封入容器の概略図。
【図２】本開示の実施形態１に係る包装物の製造方法に含まれる工程を示すフロー図。
【図３】図２に示す包装物の製造方法によって製造される包装物の一例を示す概略図。
【図４】本開示の実施形態２に係る封入容器の概略図。
【図５Ａ】本開示の実施形態２に係る製造方法の接続工程の説明図。
【図５Ｂ】本開示の実施形態２に係る製造方法の接続工程の説明図。
【図５Ｃ】本開示の実施形態２に係る製造方法の密封工程および切断工程の説明図。
【図５Ｄ】本開示の実施形態２に係る製造方法によって得られる包装物の概略図。
【発明を実施するための形態】
【００１８】
以下、図面を参照して本開示に係る封入容器および包装物の製造方法の一実施形態を説明する。
【００１９】
［実施形態１］
以下では、まず、封入容器の一実施形態について説明し、次に、包装物の製造方法の一実施形態について説明する。
【００２０】
（封入容器）
図１は、本開示の実施形態１に係る封入容器１の概略図である。本実施形態に係る封入容器１は、その一部である導入流路２が溶着されることで密閉され、内容物Ｃが封入される容器である。封入容器１は、内容物が導入される導入流路２と、この導入流路２に連通して内容物Ｃが収容される収容部３とを備えている。詳細については後述するが、本実施形態の封入容器１において、導入流路２は、収容部３を密封するための封止目標位置を表示する封止目標位置表示部２１を有している。
【００２１】
封入容器１の収容部３に収容される内容物Ｃとしては、特に限定はされないが、たとえば、無菌的な取り扱いを必要とする薬液、細胞懸濁液、細胞外液、輸液、または流動性を有する食品等を例示することができる。
【００２２】
収容部３および導入流路２の素材は、内容物Ｃを密封することができる素材であれば特に限定されないが、たとえば低温凍結保存が可能な低温耐久性に優れた素材であるポリエチレン、ポリプロピレン、エチレン酢酸ビニルコポリマー等の樹脂素材を使用することができる。また、収容部３および導入流路２は、前述の樹脂素材のフィルムを重ね合せて周縁部を接合した樹脂製のバッグであってもよい。収容部３および導入流路２の最低使用温度は、たとえば−１９６℃程度である。なお、最低使用温度とは、通常の使用において、破損等の問題を生じない下限温度である。すなわち、封入容器１は、凍結保存容器として使用することができる。
【００２３】
図１に示す例において、封入容器１は、収容部３の一部が外側へ突出して導入流路２が形成され、封止目標位置表示部２１よりも導入流路２の収容部３と反対の先端側に、内容物Ｃを導入流路２に導入するための導入管４が接続されている。収容部３は、たとえば矩形の形状を有し、その周縁部３１として、上縁部３１ａ、下縁部３１ｂ、および一対の側縁部３１ｃを有している。
【００２４】
導入流路２は、収容部３の周縁部３１の上縁部３１ａ、下縁部３１ｂ、および一対の側縁部３１ｃのいずれか一辺から、当該一辺に垂直な方向に、収容部３の外側へ向けて突出するように設けられている。導入流路２の突出方向は、収容部３の周縁部３１の各辺に垂直な方向に限定されず、各辺に所定の角度を有してもよい。導入流路２の突出方向に垂直な方向における導入流路２の幅は、周縁部３１の各辺の長さよりも小さい。導入流路２の基端は収容部３に連通し、導入流路２の先端は導入管４に接続されている。
【００２５】
導入流路２の先端には、たとえば、導入管４を接続するためのポート５が設けられている。ポート５は、導入管４から導入流路２へ内容物Ｃを導入するための導入口として機能する。ポート５が、導入流路２の内部に導入される導管５ａを有する場合には、導管５ａの長さは、導入流路２の溶着を円滑に行う観点から、導管５ａの収容部３側の端部が、封止目標位置表示部２１に達しない長さにすることが好ましい。導入流路２は、前述のように、収容部３を密封するための封止目標位置を表示する封止目標位置表示部２１を有している。
【００２６】
封止目標位置表示部２１は、収容部３に内容物Ｃを充填した後に、溶着によって収容部３を密封するための封止部Ｓ（図３参照）を形成すべき位置である封止目標位置を表示することができるものであれば、特に限定されない。封止目標位置表示部２１は、たとえば、導入流路２の外表面に凹凸または平坦面を形成したり、印刷等によって模様、線、文字、色またはこれらの組み合わせを表示したり、導入流路２の一部を着色、不透明化または透明化したりすることによって、その他の部分と区別できるように形成することができる。
【００２７】
封入容器１の収容部３に内容物Ｃを封入した包装物Ｐ（図３参照）を製造する場合には、内容物Ｃの重量の誤差を、内容物Ｃの重量の数％から１％程度の範囲に収めることが要求される場合がある。この場合、たとえば、溶着によって導入流路２に形成されて収容部３を封止する封止部Ｓの位置のばらつきが大きいと、封止部Ｓの位置に応じて導入流路２の切断位置に変動が生じる。そのため、封入容器１の重量の変動が大きくなり、内容物Ｃの重量の誤差が正確に測定できず、内容物Ｃの管理上の問題が発生するおそれがある。
【００２８】
封止目標位置表示部２１は、たとえば、前記したような内容物Ｃの管理上の問題を解決することができる位置に形成することができる。具体的には、本実施形態に係る封入容器１において、封止目標位置表示部２１から収容部３に接続された導入流路２の基端までの導入流路２の重量は、たとえば内容物Ｃの目標重量の１％以下である。すなわち、導入流路２の基端から、導入流路２の基端とは反対側の突出方向における先端側の封止目標位置表示部２１の境界までの部分の重量が、収容部３に充填される内容物Ｃの重量の許容誤差よりも小さくなるように、導入流路２の幅、および封止目標位置表示部２１の寸法を決定することができる。なお、封止目標位置表示部２１を文字や印によって表示する場合には、導入流路２の先端側における印字や文字の末端を、導入流路２の先端側における封止目標位置表示部２１の境界とすることができる。
【００２９】
導入流路２の基端側の封止目標位置表示部２１の境界は、たとえば導入流路２の基端と一致させるか、または、封止目標位置表示部２１の溶着時に収容部３の周縁部３１との干渉を防止することができる程度の隙間を、導入流路２の基端との間に有することができる。なお、導入流路２の突出方向において、導入流路２の先端側の境界から基端側の境界までの封止目標位置表示部２１の寸法は、導入流路２を溶着して封止することが可能な寸法と等しいか、またはそれよりも大きい寸法にすることができる。
【００３０】
導入管４は、一端が図示を省略する供給容器等の内容物Ｃの供給元に接続され、他端が導入流路２に接続され、内容物Ｃを供給元から導入流路２へ移送するための流路を形成する。導入管４は、たとえば導入流路２の先端のポート５を導入管４の端部に挿入することによって、導入流路２に接続される。導入管４の端部は、たとえば、結束バンド等の機械的結合部や、接着剤を用いた溶剤接着等による化学的接合部によって、導入流路２の先端のポート５に固定される。
【００３１】
導入管４の素材は、無菌溶着接合が可能な熱可塑性を有する樹脂素材であることが好ましいが、特に限定されない。導入管４の素材としては、たとえばポリ塩化ビニル（ＰＶＣ）、エチレン・酢酸ビニル共重合樹脂（ＥＶＡ）、ポリオレフィン、Ｃ−フレックス（登録商標）等の樹脂素材を使用することができる。ＰＶＣ製の導入管４の最低使用温度は、たとえば−２５℃程度であり、ＥＶＡ製の導入管４の最低使用温度は、たとえば−７０℃程度である。すなわち、本開示の一実施形態に係る封入容器１において、導入管４の最低使用温度は、導入流路２を含む収容部３の最低使用温度よりも高い。
【００３２】
なお、導入管４の最低使用温度が収容部３の最低使用温度よりも高く、封入容器１を凍結保存容器として用いる場合には、安全性を向上させる観点から、収容部３に内容物Ｃを充填して密封したのち、封入容器１を凍結させる前に、導入管４を除去する必要がある。
【００３３】
（包装物の製造方法）
次に、前述の実施形態１に係る封入容器１を用いた包装物の製造方法の一実施形態について説明する。図２は、本開示の実施形態１に係る包装物の製造方法Ｓ１００に含まれる工程を示すフロー図である。図３は、図２に示す包装物の製造方法Ｓ１００によって製造される包装物Ｐの一例を示す概略図である。
【００３４】
本実施形態に係る包装物の製造方法Ｓ１００は、前述の封入容器１に内容物Ｃを導入して密封した包装物Ｐの製造方法である。本実施形態の包装物の製造方法Ｓ１００は、導入流路２を介して内容物Ｃを収容部３に収容する収容工程Ｓ２と、封止目標位置表示部２１において導入流路２を溶着して収容部３を密封する密封工程Ｓ３と、導入流路２を切断する切断工程Ｓ４と、を有する。なお、収容工程Ｓ２の前に、収容部３の一部である導入流路２に導入管４を接続する接続工程Ｓ１を有してもよい。また、切断工程Ｓ４の後に得られた包装物Ｐを計量する計量工程Ｓ５を有してもよい。
【００３５】
（接続工程）
接続工程Ｓ１は、収容部３に導入管４を接続する工程である。本実施形態の包装物の製造方法Ｓ１００では、接続工程Ｓ１において、収容部３の一部を突出させて形成した導入流路２の先端に、導入管４が接続される。導入管４は、たとえば導入流路２の先端に設けられたポート５に対して溶剤接着等の化学的方法や締結バンド等の機械的な方法によって接続することができる。
【００３６】
なお、本実施形態の製造方法では、前述のように、導入管４として、凍結保存を前提としない凍結耐性の低い素材を用い、収容部３および収容部に連通する導入流路２の素材として、凍結保存が可能な凍結耐性の高い素材を用いることができる。また、たとえば、収容部３、導入流路２、および導入管４を同一の素材または異なる素材によって一体成形する場合や、予め導入管４が収容部３に接続されている場合には、接続工程Ｓ１を省略することができる。
【００３７】
（収容工程）
収容工程Ｓ２は、導入流路２を介して内容物Ｃを収容部３に収容する工程である。本実施形態の包装物の製造方法Ｓ１００では、収容工程Ｓ２において、導入流路２と、この導入流路２に接続された導入管４を介して、収容部３に内容物Ｃが導入される。収容部３に収容する内容物Ｃとしては、前述のように、たとえば、無菌的な取り扱いを必要とする薬液、細胞懸濁液、細胞外液、輸液、または流動性を有する食品等を例示することができる。
【００３８】
（密封工程）
密封工程Ｓ３は、封止目標位置表示部２１において導入流路２を溶着して収容部３を密封する工程である。より具体的には、たとえば閉鎖系の無菌溶着接合で一般的に使用される卓上型の溶着機等を使用し、封止目標位置表示部２１において導入流路２を挟持して、図３に示すように、熱溶着によって導入流路２を封止する封止部Ｓを形成する。密封工程Ｓ３において、封止部Ｓは、導入流路２の先端側の封止目標位置表示部２１の境界から導入流路２の基端側の封止目標位置表示部２１の境界までの間に形成する。換言すると、封止部Ｓは、封止目標位置表示部２１に形成することができる。
【００３９】
（切断工程）
切断工程Ｓ４は、密封工程Ｓ３後に導入流路２を切断する工程である。切断工程Ｓ４における導入流路２の切断位置は、たとえば導入流路２の先端側の封止目標位置表示部２１の境界とすることができる。また、導入流路２の切断位置は、封止部Ｓの封止性の低下を防止する観点から、封止部Ｓよりも導入流路２の先端側、すなわち収容部３に接続された導入流路２の基端と反対側の端縁であること、または、その端縁よりも導入流路２の先端側であることが好ましい。なお、導入流路２の切断位置は、封止部Ｓの封止性を確保することができる位置であれば、封止部Ｓ上であってもよい。以上により、図３に示す包装物Ｐが得られる。すなわち、本実施形態に係る包装物の製造方法Ｓ１００では、前述の封入容器１の収容部３に内容物Ｃを導入して密封した包装物Ｐが得られる。
【００４０】
（計量工程）
計量工程Ｓ５は、切断工程Ｓ４で得られた包装物Ｐの重量を計量する工程である。計量工程Ｓ５では、計測された内容物Ｃの重量の誤差が、たとえば規定の重量の数％から１％程度の誤差範囲内の包装物Ｐを合格品と判定し、それ以上の誤差を有する包装物Ｐを不合格品と判定することができる。
【００４１】
以下、本実施形態に係る封入容器１および包装物の製造方法Ｓ１００の作用について説明する。
【００４２】
本実施形態の封入容器１は、前述のように、一部が溶着されて内容物Ｃが封入される封入容器１である。封入容器１は、内容物Ｃが導入される導入流路２と、該導入流路２に連通して内容物Ｃが収容される収容部３とを備えている。そして、導入流路２は、収容部３を密封するため封止目標位置を表示する封止目標位置表示部２１を有している。
【００４３】
このような構成により、密封工程Ｓ３において、導入流路２の封止目標位置を表示する封止目標位置表示部２１で導入流路２を溶着し、収容部３を密封することができる。すなわち、導入流路２を一定の位置で溶着して収容部３を密封することができ、溶着を容易にすることができるだけでなく、内容物Ｃの封入後の管理上の問題を解決することができる。
【００４４】
より具体的には、たとえば、溶着によって導入流路２に形成されて収容部３を封止する封止部の位置を所定の範囲に収めることで、包装物Ｐにおける封入容器１の重量の変動を減少させることができる。これにより、包装物Ｐの重量から封入容器１の収容部３および導入流路２の残部の重量を差し引いて、内容物Ｃの重量の誤差を正確に測定することができ、内容物Ｃの重量の管理上の問題を解決することができる。なお、封入容器１の収容部３および導入流路２の残部の重量は、たとえば、導入流路２を切断する前の封入容器１の重量から切断した導入流路２の一部の重量を差し引くことで測定することができる。
【００４５】
また、本実施形態の封入容器１は、前述のように、収容部３の一部が外側へ突出して導入流路２が形成され、この導入流路２の封止目標位置表示部２１よりも先端側に、内容物Ｃを導入流路２に導入するための導入管４が接続されている。そのため、導入流路２の封止目標位置表示部２１において収容部３を密封し、その後、導入管４、および、導入流路２と導入管４との接合部を切除することができる。これにより、たとえば凍結耐性の低い導入管４と凍結耐性の高い収容部３に連通する導入流路２とを溶剤接着によって接合し、収容部３に内容物Ｃを収容して密封後に凍結保存するような場合でも、残留溶剤の懸念や導入管４およびその接続部の耐久性に関する懸念を払拭することができる。また、導入管４と収容部３とを結束バンド等の機械的連結手段によって連結する場合でも、溶剤接着よりも接合強度が弱く信頼性の低下が懸念される機械的連結手段を除去して、そのような懸念を払拭することができる。
【００４６】
すなわち、導入管４の最低使用温度を、収容部３の最低使用温度よりも高くしても、内容物Ｃを封入したあとの包装物Ｐにおいて、導入管４およびその接続部を除去し、導入管４の最低使用温度の懸念や、導入管４の接続部の耐久性の懸念等を払拭することができる。また、導入管４の最低使用温度が、収容部３の最低使用温度よりも高いことで、比較的安価な導入管４を用いることができ、封入容器１のコストを低減することができる。また、導入流路２が収容部３の周縁部３１から収容部３の外側へ向けて突出するように設けられていることで、導入流路２の封止操作の際に収容部３が物理的な妨げになりにくく、導入流路２を封止しやすくなっている。
【００４７】
また、導入流路２が収容部３の周縁部３１から収容部３の外側へ向けて突出することで、導入流路２の幅が、周縁部３１の上縁部３１ａ、下縁部３１ｂ、および一対の側縁部３１ｃのいずれよりも幅が狭くなっている。これにより、導入流路２に内容物Ｃが残存するのを抑制することができ、内容物Ｃを収容部３に充填しやすくすることができる。より詳細には、導入流路２の幅が小さく、導入流路２の容積を十分少なくしておくことで、内容物Ｃが導入流路２に残ったとしてもその量が僅かになる。
【００４８】
また、導入流路２に残存した内容物Ｃを収容部３に空気等の気体の作用で送出する操作をする場合に、導入流路２の幅が、周縁部３１の上縁部３１ａ、下縁部３１ｂ、および一対の側縁部３１ｃのいずれの幅よりも小さいことで、導入流路２に残存した内容物Ｃを気体によってより確実に収容部３に送出することができる。このような気体による導入流路２から収容部３への内容物Ｃの送出操作をより円滑に行うために、たとえば、導入流路２の幅が一定であること、導入流路２が円筒状であること、導入流路２の幅が導入管４の径と等しいかまたは同程度であることが望ましい。
【００４９】
また、本実施形態の封入容器１において、内容物Ｃの重量の誤差を、内容物Ｃの重量の数％から１％程度の範囲に収めることが要求される場合がある。このような場合に、封止目標位置表示部２１から導入流路２の基端までの導入流路２の重量を、内容物Ｃの目標重量の１％以下にすることで、一部が溶着されて内容物Ｃが封入される封入容器１において、内容物Ｃの封入後の管理上の問題を解決することができる。
【００５０】
具体的には、たとえば、導入流路２の封止目標位置表示部２１において溶着により収容部３を密閉し、その後、前述のように、導入流路２の先端側における封止目標位置表示部２１の境界または封止部Ｓを基準とした切断位置で導入流路２を切断する。これにより、封止部Ｓが形成された封止目標位置表示部２１から導入流路２の基端までの導入流路２の重量、すなわち、収容部３への内容物Ｃの封入後に収容部３に残存する導入流路２の重量を、内容物Ｃの目標重量の１％以下にすることができる。したがって、封入容器１の重量の変動を減少させ、内容物Ｃの重量の誤差を正確に測定し、内容物Ｃの管理上の問題を解決することができる。なお、収容部３に残存する導入流路２の重量は、たとえば、前述のように、導入流路２を切断する前の封入容器１の重量から、切断した導入流路２の一部の重量と、収容部３の設計上の重量を差し引くことで測定することができる。
【００５１】
また、本実施形態の製造方法Ｓ１００は、前述の本実施形態の封入容器１に内容物Ｃを導入して密封した包装物Ｐの製造方法である。そして、本実施形態の包装物の製造方法Ｓ１００は、前述のように、導入流路２を介して内容物Ｃを収容部３に収容する収容工程Ｓ２と、封止目標位置表示部２１において導入流路２を溶着して前記収容部３を密封する密封工程Ｓ３と、導入流路２を切断する切断工程Ｓ４と、を有する。上記各工程を有する本実施形態の包装物の製造方法Ｓ１００によれば、前述のように、一部が溶着されて内容物Ｃが封入される封入容器１において、内容物Ｃの封入後の管理上の問題を解決することができる。
【００５２】
以上説明したように、本実施形態の封入容器１および包装物の製造方法Ｓ１００によれば、前述のように、一部が溶着されて内容物Ｃが封入される封入容器１において、溶着による封止を容易にするとともに、内容物Ｃの封入後の管理上の問題を解決することができる。
【００５３】
［実施形態２］
次に、図２を援用し、図４および図５Ａから図５Ｄを用いて本開示に係る封入容器および包装物の製造方法の別の実施形態を説明する。
【００５４】
（封入容器）
図４は、本開示の実施形態２に係る封入容器１Ａの概略図である。本実施形態に係る封入容器１Ａは、その一部である導入流路２Ａが溶着されて内容物Ｃが封入される容器である。封入容器１Ａは、内容物Ｃを導入するための導入流路２Ａが、収容部３に接続された導入管４によって構成されている点で、実施形態１に係る封入容器１と異なっている。封入容器１Ａのその他の点は、前述の実施形態１に係る封入容器１と同様であるので、同様の部分に同一の符号を付して説明を省略する。
【００５５】
封入容器１Ａにおいて、導入管４によって構成された導入流路２Ａは、一端である基端が収容部３の周縁部３１の上縁部３１ａ、下縁部３１ｂ、および一対の側縁部３１ｃのいずれか一辺に接続されている。導入流路２Ａは、収容部３に連通し、他端である先端が閉鎖され、収容部３および導入流路２Ａの内側の空間が外側の空間から隔離されている。導入流路２Ａを構成する導入管４の素材としては、前述のように、無菌溶着接合が可能な熱可塑性を有する樹脂素材を用いることができる。
【００５６】
導入流路２Ａの基端は、収容部３の周縁部３１の開口部３２に、たとえば無菌コネクター、無菌溶着接合部、機械的結合部、または化学的接合部等を介して接続することができる。また、たとえば導入流路２Ａと収容部３を一体成形することによって、導入流路２Ａを収容部３の一部として収容部３と一体的に形成してもよい。導入流路２Ａの先端は、たとえば無菌コネクター等の無菌接続部を有してもよい。
【００５７】
導入流路２Ａは、収容部３を密封するため封止目標位置を表示する封止目標位置表示部２１Ａを有している。また、導入流路２Ａは、封止目標位置表示部２１Ａの外側すなわち導入流路２Ａの収容部３と反対の先端側に、導入流路２Ａを切断するための切断目標位置を表示する切断位置表示部２１Ｂを有している。封止目標位置表示部２１Ａおよび切断位置表示部２１Ｂは、たとえば図４に示すように、導入流路２Ａの外表面に形成された３本の境界線２２ａ，２２ｂ，２２ｃによって表示することができる。
【００５８】
すなわち、導入流路２Ａの先端側の第１の境界線２２ａと、それよりも導入流路２Ａの基端側の第２の境界線２２ｂとの間の部分が、切断位置表示部２１Ｂである。また、第２の境界線２２ｂと、それよりも導入流路２Ａの基端側の第３の境界線２２ｃとの間の部分が、封止目標位置表示部２１Ａである。導入流路２Ａの外表面に境界線２２ａ，２２ｂ，２２ｃを形成する方法は特に限定されないが、たとえば前述の実施形態１で説明した封入容器１の封止目標位置表示部２１と同様に形成することができる。
【００５９】
本実施形態の封入容器１Ａでは、切断位置表示部２１Ｂから導入流路２Ａの基端までの導入流路２Ａの重量を、収容部３に収容される内容物Ｃの目標重量の１％以下にすることができる。より具体的には、導入流路２Ａの基端から、導入流路２Ａの先端側の切断位置表示部２１Ｂの境界を明示する第１の境界線２２ａまでの部分の重量を、内容物Ｃの目標重量の１％以下にすることができる。さらに詳細には、導入流路２Ａの基端から、第１の境界線２２ａの導入流路２Ａの先端側の境界までの部分の重量を、内容物Ｃの目標重量の１％以下にすることができる。なお、導入流路２Ａの基端から、導入流路２Ａの先端側の切断位置表示部２１Ｂの境界を明示する第１の境界線２２ａまでの部分の重量は、たとえば、当該部分の長さと、導入流路２Ａの肉厚と、導入流路２Ａを構成する材料の密度との積によって求めることができる。
【００６０】
次に、本実施形態に係る包装物の製造方法について説明する。
【００６１】
（包装物の製造方法）
本実施形態に係る包装物の製造方法は、図２に示す前述の実施形態１に係る包装物の製造方法Ｓ１００と同様に、導入流路２Ａを介して内容物Ｃを収容部３に収容する収容工程Ｓ２と、封止目標位置表示部２１Ａにおいて導入流路２Ａを溶着して収容部３を密封する密封工程Ｓ３と、導入流路２Ａを切断する切断工程Ｓ４と、を有する。なお、収容工程Ｓ２の前に、導入流路２Ａに対して内容物Ｃを供給する供給管６（図５Ａ参照）を接続する接続工程Ｓ１を有してもよい。また、切断工程Ｓ４の後に得られた包装物ＰＡ（図５Ｄ参照）を計量する計量工程Ｓ５を有してもよい。
【００６２】
（接続工程）
図５Ａおよび図５Ｂは、接続工程Ｓ１を説明する説明図である。接続工程Ｓ１は、導入流路２Ａに供給管６を接続する工程である。接続工程Ｓ１では、まず、たとえば収容部３に収容する内容物Ｃが収容された図示を省略する供給容器等に接続された供給管６の末端と、封入容器１Ａの導入流路２Ａの切断位置表示部２１Ｂとを切断する。具体的には、図５Ａに一点鎖線で示すように、切断位置表示部２１Ｂを画定する第１の境界線２２ａと第２の境界線２２ｂとの間で導入流路２Ａを切断するとともに、供給管６の末端で供給管６を切断する。
【００６３】
次に、図５Ｂに破線で示すように、切断した導入流路２Ａの先端と供給管６の末端とを、たとえば無菌溶着接合によって接合して無菌溶着接合部７を形成する。これにより、供給管６に接続された内容物Ｃの供給源から、供給管６および導入流路２Ａを介して収容部３へ内容物Ｃを供給可能な状態になる。
【００６４】
（収容工程）
収容工程Ｓ２では、前述の実施形態１に係る包装物の製造方法Ｓ１００と同様に、導入流路２Ａを介して供給された内容物Ｃが収容部３に収容される。
【００６５】
（密封工程）
図５Ｃは、密封工程Ｓ３および切断工程Ｓ４を説明する説明図である。密封工程Ｓ３では、前述の実施形態１に係る包装物の製造方法Ｓ１００と同様に、封止目標位置表示部２１Ａにおいて導入流路２Ａを溶着して収容部３を密封する。より具体的には、封止目標位置表示部２１Ａを画定する第２の境界線２２ｂと第３の境界線２２ｃとの間で熱溶着によって導入流路２Ａを封止する封止部Ｓを形成する。
【００６６】
（切断工程）
図５Ｄは、切断工程Ｓ４によって得られる包装物ＰＡの概略図である。切断工程Ｓ４では、前述の実施形態１に係る包装物の製造方法Ｓ１００と同様に、密封工程Ｓ３後に導入流路２Ａを切断する。切断工程Ｓ４における導入流路２Ａの切断位置は、図５Ｃに一点鎖線で示すように、封止目標位置表示部２１Ａを画定する第２の境界線２２ｂと第３の境界線２２ｃのうち、導入流路２Ａの先端側の第２の境界線２２ｂ上とすることができる。
【００６７】
（計量工程）
計量工程Ｓ５では、前述の実施形態１に係る包装物の製造方法Ｓ１００と同様に、切断工程Ｓ４で得られた包装物ＰＡの重量を計量し、計測された内容物Ｃの重量の誤差が、たとえば規定の重量の数％から１％程度の誤差範囲内の包装物ＰＡを合格品と判定することができる。
【００６８】
以下、本実施形態に係る封入容器１Ａおよび包装物の製造方法の作用について説明する。
【００６９】
本実施形態の封入容器１Ａは、導入流路２Ａに封止目標位置表示部２１Ａと切断位置表示部２１Ｂとを有している。そのため、導入流路２Ａに供給管６を接続する接続工程Ｓ１において、封止目標位置表示部２１Ａに影響を与えることなく、導入流路２Ａを適切な位置で切断して供給管６に接続することが可能になる。また、切断位置表示部２１Ｂから導入流路２Ａの基端までの導入流路２Ａの重量を、内容物Ｃの目標重量の１％以下とすることで、導入流路２Ａの重量による測定誤差を減少させ、内容物Ｃの重量をより正確に測定することが可能になる。
【００７０】
したがって、本実施形態の封入容器１Ａおよび包装物の製造方法によれば、前述の第１実施形態の封入容器１および包装物の製造方法Ｓ１００と同様に、一部が溶着されて内容物Ｃが封入される封入容器１Ａにおいて、溶着による封止を容易にするとともに、内容物Ｃの封入後の管理上の問題を解決することができる。
【００７１】
以上、図面を用いて本開示の実施の形態を詳述してきたが、具体的な構成はこの実施形態に限定されるものではなく、本開示の要旨を逸脱しない範囲における設計変更等があっても、それらは本開示に含まれるものである。
【００７２】
たとえば、前述の実施形態２では、３本の境界線によって封止目標位置表示部と切断位置表示部とが画定される例について説明したが、２本の境界線によって封止目標位置表示部のみを画定してもよい。また、前述の実施形態１および２では、切断位置表示部の境界または切断位置表示部において導入流路を切断する例について説明したが、導入流路の切断位置は、封止目標位置表示部に形成された封止部上であってもよい。また、導入流路の上端、すなわちポートと導入流路との境界や、導入流路の下端、すなわち導入流路と収容部との境界を封止目標位置表示部として活用することも可能である。また、封止目標位置表示部として、封入容器に貼付可能なシールや封入容器に固定可能な結束バンドなどを使用してもよい。
【符号の説明】
【００７３】
１        封入容器
１Ａ      封入容器
２        導入流路
２Ａ      導入流路
２１      封止目標位置表示部
２１Ａ    封止目標位置表示部
２１Ｂ    切断位置表示部
３        収容部
４        導入管
Ｃ        内容物
Ｐ        包装物
ＰＡ      包装物
Ｓ２      収容工程
Ｓ３      密封工程
Ｓ４      切断工程
Ｓ１００  包装物の製造方法
【図１】
2018030611.tif 000003
【図２】
2018030611.tif 000004
【図３】
2018030611.tif 000005
【図４】
2018030611.tif 000006
【図５Ａ】
2018030611.tif 000007
【図５Ｂ】
2018030611.tif 000008
【図５Ｃ】
2018030611.tif 000009
【図５Ｄ】
2018030611.tif 000010